(57)【要約】【課題】記録媒体が保持される２つのホルダーを有し、この２つのホルダーを１つの表蓋で共通に覆う構造の記録再生装置等において、ホルダーと表蓋のイジェクト動作時の開くタイミングのずれをなくし、スムーズなイジェクト動作を可能とした機構を提供する。【解決手段】第１のイジェクト釦１５を押すとこの第１のイジェクト釦１５によって第１のホルダーロック部材１０と蓋ロック部材１２が直接押圧されて第１のホルダーと表蓋のロックが同時に解除され、また第２のイジェクト釦１６を押すとこの第２のイジェクト釦１６によって第２のホルダーロック部材１１と蓋ロック部材１２が直接押圧されて第２のホルダーと表蓋のロックが同時に解除される構造とする。【選択図】  図６
2004318954.tif 000002
【特許請求の範囲】
【請求項１】
記録媒体が保持される第１及び第２のホルダーと、
上記第１及び第２のホルダーを共通に覆う表蓋と、
を有してなるに記録再生装置等において、
上記第１のホルダー及び上記第２のホルダーを夫々閉じ位置でロックする第１及び第２のホルダーロック部材と、
上記表蓋を閉じ位置でロックする蓋ロック部材と、
上記第１のホルダーロック部材と上記蓋ロック部材を同時に直接押圧して上記第１のホルダーと上記表蓋のロックを解除する第１のイジェクト釦と、
上記第２のホルダーロック部材と上記蓋ロック部材を同時に直接押圧して上記第２のホルダーと上記表蓋のロックを解除する第２のイジェクト釦と、
を備えてなる記録再生装置等におけるイジェクト機構。
【請求項２】
上記第１及び第２のホルダーロック部材と上記蓋ロック部材には、夫々をロック方向に付勢するための弾性部が一体に成形されてなる請求項１に記載の記録再生装置等におけるイジェクト機構。
【発明の詳細な説明】
【０００１】
【発明の属する技術分野】
本発明は記録再生装置等におけるイジェクト機構に関するもので、特に記録媒体が保持されるホルダーを２つ有し、この２つのホルダーを１つの表蓋で共通に覆う構造の記録再生装置等において、ホルダーと表蓋のスムーズなイジェクト動作を可能とした機構に係るものである。
【０００２】
【従来の技術】
先ず、従来の記録再生装置等におけるイジェクト機構について図１と図２及び図１０〜図１２を参照して説明する。
図１と図２は記録再生装置としてカセットデッキを示し、図１はこのカセットデッキの全体図、図２はその前面の主要部を示す図である。
このカセットデッキ１は所謂ダブルカセットデッキで、即ちこのカセットデッキ１は図２に示す如く、筐体２の前面に取り付けられた前面パネル３の左右に第１及び第２のカセット装着部４，５を有し、この第１及び第２のカセット装着部４，５に夫々記録媒体であるテープカセットが装着されて記録または再生が行なわれるものである。
【０００３】
このカセットデッキ１には、第１及び第２のカセット装着部４，５に確実にテープカセットを装着するための第１及び第２のホルダー６，７が設けられている。これらのホルダー６，７は何れもその下端部を支点として前面パネル３に対し前後方向に回動可能に取り付けられており、このホルダー６，７が前方の開き位置にある状態で上方からテープカセットが挿入保持され、その状態でこのホルダー６，７を閉じ位置まで回動させることによってテープカセットがカセット装着部４，５に装着される。
【０００４】
ここで第１及び第２のホルダー６，７は図には表れていないスプリングの力によって常に開き方向に付勢されており、閉じ位置（テープカセットがカセット装着部に装着される位置）では後述するホルダーロック部材によってロックされ、このロックは前面のイジェクト釦１５，１６を押すことによって解除される構造となっている。
【０００５】
さらにこのカセットデッキ１には、第１及び第２のカセット装着部４，５を開閉する表蓋８が最前面に設けられている。この表蓋８は第１及び第２のホルダー６，７を共通に覆う１枚の蓋であり、その下端部を支点として前面パネル３に対し前後方向に回動可能に取り付けられている。
【０００６】
ここで表蓋８は図には表われていないスプリングの力によって常に閉じ方向に付勢されているが、この表蓋８を閉じ方向へ付勢するスプリングの力よりも上述した第１及び第２のホルダー６，７を開き方向へ付勢するスプリングの力の方が強く設定されている。従ってこの構成では、ホルダー６，７が開くとこのホルダー６，７で表蓋８が押されて開くようになっており、この表蓋８が開いた状態から表蓋８を手で押して閉じることによってこれに押されてホルダー６，７が閉じられる如く動作する。
【０００７】
この表蓋８が閉じた状態では、表蓋８は後述する蓋ロック部材によってロックされ、この表蓋８のロックはイジェクト釦１５，１６を押すことによってホルダー６，７のロックと共に解除される構造となっている。
【０００８】
上述の如く構成されるダブルカセットデッキ１において、第１及び第２のホルダー６，７と表蓋８をロックし、これを解除するイジェクト機構の従来の構成を図１０〜図１２に示す。
【０００９】
先ず、第１及び第２のホルダー６，７と表蓋８を夫々閉じ位置でロックするロック機構部９の構成を説明する。このロック機構部９は図１０に示す如く、３つのロック部材、即ち第１及び第２のホルダー６，７を夫々ロックする第１及び第２のホルダーロック部材１０，１１と、表蓋８をロックする蓋ロック部材１２と、を有して構成される。
このロック機構部９では、蓋ロック部材１２を挟んで左右に第１のホルダーロック部材１０と第２のホルダーロック部材１１が配置され、この３つのロック部材がハウジング１３内に組み込まれてユニット化されている。尚、このロック機構部９のユニットは前面パネル３に組み込まれ、螺子止め等によって固定されるものである。
【００１０】
ハウジング１３内において第１及び第２のホルダーロック部材１０，１１と蓋ロック部材１２は夫々上下方向に移動可能となされており、第１及び第２のホルダー６，７が閉じた状態では第１及び第２のホルダーロック部材１０，１１の下端の係合爪部１０ａ，１１ａが夫々第１及び第２のホルダー６，７の上端部前面側に引掛るように係合してこれをロックし、また表蓋８が閉じた状態では蓋ロック部材１２の下端の係合爪部１２ａが表蓋８の上端部裏面側に突設された係合片８ａの孔部８ｂに係合してこれをロックする構造となっている。
【００１１】
ここで各ロック部材１０，１１と１２は夫々スプリングによってロック方向に付勢されている。即ち図１２に示す如く、ホルダーロック部材１０，１１の裏面側には掛片１０ｂ，１１ｂが突設され、この掛片１０ｂ，１１ｂとハウジング１３側に設けられた掛片１３ａとの間にスプリング（引張コイルスプリング）１４を引掛けて装着してあり、このスプリングの引張力によってホルダーロック部材１０，１１はホルダー６，７に係合するロック方向に付勢されている。また蓋ロック部材１２もこれと同様の構成でスプリングの引張力によってロック方向に付勢されている。
【００１２】
そしてこのロック機構部９におけるロックは、２つのイジェクト釦、即ち第１及び第２のイジェクト釦１５，１６によって解除される構造となっている。
これらのイジェクト釦１５，１６は前面パネル３に前後方向に移動可能に組み込まれ、夫々その裏面側に突出形成された押圧突片１５ａ，１６ａによってホルダーロック部材１０，１１を押圧操作するものである。即ちホルダーロック部材１０，１１の前面にはイジェクト釦１５，１６の押圧突片１５ａ，１６ａに対応して傾斜面状の被押圧部１０ｃ，１１ｃが形成されており、この部分をイジェクト釦１５，１６で押圧することによってロック解除動作が行なわれる。
【００１３】
この場合、図１２（Ａ）に示す如くイジェクト釦１５，１６を押し込むと、そのイジェクト釦１５，１６の押圧突片１５ａ，１６ａの先端傾斜縁部がホルダーロック部材１０，１１の被押圧部１０ｃ，１１ｃの傾斜面を押圧し、これによって図１２（Ｂ）の如くホルダーロック部材１０，１１はスプリングの力に抗して上方に移動して係合爪部１０ａ，１１ａがホルダー６，７から外れ、その結果ホルダー６，７のロックが解除される。
【００１４】
ここで従来の機構では、このホルダーロック部材１０，１１のロック解除動作に追従して蓋ロック部材１２のロック解除動作が行なわれる構造となっている。即ち、図１０に示す如くホルダーロック部材１０，１１には夫々内側に突出部１０ｄ，１１ｄが形成され、これに対応して蓋ロック部材１２には左右両側に突出部１２ｂ，１２ｃが形成されており、この蓋ロック部材１２の左右の突出部１２ｂ，１２ｃが夫々ホルダーロック部材１０，１１の突出部１０ｄ，１１ｄの上に載るように接している。従ってこの構成では、イジェクト釦１５，１６によってホルダーロック部材１０，１１が上方に移動にされると、これに追従して蓋ロック部材１２が押し上げられて表蓋８のロックを解除する如く動作する。
【００１５】
即ちこの機構では、第１のイジェクト釦１５を押すことによって図１１（Ａ）に示す如く第１のホルダーロック部材１０が上方に移動して第１のホルダー６のロックが解除されると、これに伴って第１のホルダーロック部材１０の突出部１０ｄが蓋ロック部材１２の突出部１２ｂを押し上げ、これによって蓋ロック部材１２はスプリングの力に抗して上方に移動して係合爪部１２ａが係合片８ａの孔部８ｂから外れ、その結果表蓋８のロックが解除される。このように第１のホルダー６のロックと表蓋８のロックが共に解除されることにより、第１のホルダー６と表蓋８が一体に開くようにイジェクト動作が行なわれる。
【００１６】
またこの機構では、第２のイジェクト釦１６を押すことによって図１１（Ｂ）に示す如く第２のホルダーロック部材１１が上方に移動して第２のホルダー７のロックが解除されると、これに伴って第２のホルダーロック部材１１の突出部１１ｄが蓋ロック部材１２の突出部１２ｃを押し上げ、これによって蓋ロック部材１２はスプリングの力に抗して上方に移動して係合爪部１２ａが係合片８ａの孔部８ｂから外れ、その結果表蓋８のロックが解除される。このように第２のホルダー７のロックと表蓋８のロックが共に解除されることにより、第２のホルダー７と表蓋８が一体に開くようにイジェクト動作が行なわれる。
【００１７】
尚、このようなダブルカセットデッキにおけるイジェクト機構は、従来の製品で実施されたものであるが、これを記載した特許文献等は見当たらない。
【００１８】
【発明が解決しようとする課題】
以上の如く構成される従来のイジェクト機構は、ホルダーロック部材１０，１１のロック解除動作に追従して蓋ロック部材１２のロック解除動作が行なわれる構造であるため、ホルダー６，７と表蓋８のイジェクト動作がスムーズに行なわれない場合がある。
即ちこの機構は、イジェクト釦１５，１６によってホルダーロック部材１０，１１が移動されてホルダー６，７のロックが解除されると、これに追従して蓋ロック部材１２が押し上げられて表蓋８のロックを解除するものであるため、ホルダーロック部材１０，１１と蓋ロック部材８の間にガタや撓み等があるとホルダー６，７と表蓋８の開くタイミングがずれ、スムーズなイジェクト動作が行なわれなくなることがあった。
【００１９】
本発明はこのような問題点に鑑みてなされたもので、記録媒体が保持されるホルダーを２つ有し、この２つのホルダーを１つの表蓋で共通に覆う構造の記録再生装置等において、ホルダーと表蓋のイジェクト動作時の開くタイミングのずれをなくし、スムーズなイジェクト動作を可能とした機構を提供することを目的とする。
【００２０】
【課題を解決するための手段】
上記の目的を達成するために本発明の機構は、
記録媒体が保持される第１及び第２のホルダーと、
この第１及び第２のホルダーを共通に覆う表蓋と、
を有してなるに記録再生装置等において、
第１のホルダー及び第２のホルダーを夫々閉じ位置でロックする第１及び第２のホルダーロック部材と、
表蓋を閉じ位置でロックする蓋ロック部材と、
第１のホルダーロック部材と蓋ロック部材を同時に直接押圧して第１のホルダーと表蓋のロックを解除する第１のイジェクト釦と、
第２のホルダーロック部材と蓋ロック部材を同時に直接押圧して第２のホルダーと表蓋のロックを解除する第２のイジェクト釦と、
を備えて構成したものである。
【００２１】
このように構成される本発明機構では、第１のイジェクト釦を押すとこの第１のイジェクト釦によって第１のホルダーロック部材と蓋ロック部材が直接押圧されて第１のホルダーと表蓋のロックが同時に解除され、また第２のイジェクト釦を押すとこの第２のイジェクト釦によって第２のホルダーロック部材と蓋ロック部材が直接押圧されて第２のホルダーと表蓋のロックが同時に解除されるので、夫々のイジェクト動作においてホルダーと表蓋の開くタイミングにずれが生じることはなく、スムーズなイジェクト動作が行なわれる。
【００２２】
【発明の実施の形態】
以下、図面を参照しながら本発明の実施例について詳細に説明する。
図１と図２は記録再生装置としてカセットデッキを示し、図１はこのカセットデッキの全体図、図２はその前面の主要部を示す図である。
このカセットデッキ１は所謂ダブルカセットデッキで、即ちこのカセットデッキ１は図２に示す如く、外筐２の前面に取り付けられた前面パネル３の左右に第１及び第２のカセット装着部４，５を有し、この第１及び第２のカセット装着部４，５に夫々記録媒体であるテープカセットが装着されて記録または再生が行なわれるものである。
【００２３】
このカセットデッキ１には、第１及び第２のカセット装着部４，５に確実にテープカセットを装着するための第１及び第２のホルダー６，７が設けられている。これらのホルダー６，７は何れもその下端部を支点として前面パネル３に対し前後方向に回動可能に取り付けられており、このホルダー６，７が前方の開き位置にある状態で上方からテープカセットが挿入保持され、その状態でこのホルダー６，７を閉じ位置まで回動させることによってテープカセットがカセット装着部４，５に装着される。
【００２４】
ここで第１及び第２のホルダー６，７は図には表れていないスプリングの力によって常に開き方向に付勢されており、閉じ位置（テープカセットがカセット装着部に装着される位置）では後述するホルダーロック部材によってロックされ、このロックは前面のイジェクト釦１５，１６を押すことによって解除される構造となっている。
【００２５】
さらにこのカセットデッキ１には、第１及び第２のカセット装着部４，５を開閉する表蓋８が最前面に設けられている。この表蓋８は第１及び第２のホルダー６，７を共通に覆う１枚の蓋であり、その下端部を支点として前面パネル３に対し前後方向に回動可能に取り付けられている。
【００２６】
ここで表蓋８は図には表われていないスプリングの力によって常に閉じ方向に付勢されているが、この表蓋８を閉じ方向へ付勢するスプリングの力よりも上述した第１及び第２のホルダー６，７を開き方向へ付勢するスプリングの力の方が強く設定されている。従ってこの構成では、ホルダー６，７が開くとこのホルダー６，７で表蓋８が押されて開くようになっており、この表蓋８が開いた状態から表蓋８を手で押して閉じることによってこれに押されてホルダー６，７が閉じられる如く動作する。
【００２７】
この表蓋８が閉じた状態では、表蓋８は後述する蓋ロック部材によってロックされ、この表蓋８のロックはイジェクト釦１５，１６を押すことによってホルダー６，７のロックと共に解除される構造となっている。
【００２８】
上述の如く構成されるカセットデッキ１において、第１及び第２のホルダー６，７と表蓋８をロックし、これを解除するイジェクト機構の構成を図３〜図６に示す。
【００２９】
先ず、第１及び第２のホルダー６，７と表蓋８を夫々閉じ位置でロックするロック機構部９の構成を説明する。このロック機構部９は図３に示す如く、３つのロック部材、即ち第１及び第２のホルダー６，７を夫々ロックする第１及び第２のホルダーロック部材１０，１１と、表蓋８をロックする蓋ロック部材１２と、を有して構成される。
このロック機構部９では、蓋ロック部材１２を挟んで左右に第１のホルダーロック部材１０と第２のホルダーロック部材１１が配置され、この３つのロック部材がハウジング１３内に組み込まれてユニット化されている。尚、このロック機構部９のユニットは前面パネル３に組み込まれ、螺子止め等によって固定されるものである。
【００３０】
ハウジング１３内において第１及び第２のホルダーロック部材１０，１１と蓋ロック部材１２は夫々上下方向に移動可能となされており、第１及び第２のホルダー６，７が閉じた状態では第１及び第２のホルダーロック部材１０，１１の下端の係合爪部１０ａ，１１ａが夫々第１及び第２のホルダー６，７の上端部に設けられた係合部６ａ，７ａに引掛るように係合してこれをロックし、また表蓋８が閉じた状態では蓋ロック部材１２の下端の係合爪部１２ａが表蓋８の上端部裏面側に突設された係合片８ａの孔部８ｂに係合してこれをロックする構造となっている。
【００３１】
ここで各ロック部材１０，１１と１２はＰＯＭ等の樹脂材によりなるもので、夫々をロック方向に付勢するための弾性腕部が一体に成形されている。即ち図３及び図６に示す如く、ホルダーロック部材１０，１１にはその上端部の左右両側から弾性腕部１０ｅと１０ｆ，１１ｅと１１ｆが一体に延設されており、この弾性腕部１０ｅと１０ｆ，１１ｅと１１ｆの先端がハウジング１３の上面部に当接し、その撓みによる弾性（ばね性）によってホルダーロック部材１０，１１は常にホルダー６，７に係合するロック方向に付勢されている。また蓋ロック部材１２もこれと同様にその上端部の左右両側から弾性腕部１２ｅと１２ｆが一体に延設されており、この弾性腕部１２ｅと１２ｆの先端がハウジング１３の上面部に当接し、その撓みによる弾性によって蓋ロック部材１２は常に表蓋８の係合片８ａの孔部８ｂに係合するロック方向に付勢されている。
【００３２】
そしてこのロック機構部９におけるロックは、２つのイジェクト釦、即ち第１及び第２のイジェクト釦１５，１６によって解除される構造となっている。
これらのイジェクト釦１５，１６は前面パネル３に前後方向に移動可能に組み込まれ、夫々その裏面側に突出形成された押圧突片１５ａ，１６ａによってホルダーロック部材１０，１１を直接押圧操作するものである。即ちホルダーロック部材１０，１１の前面にはイジェクト釦１５，１６の押圧突片１５ａ，１６ａに対応して傾斜面状の被押圧部１０ｃ，１１ｃが形成されており、この部分をイジェクト釦１５，１６で押圧することによってロック解除動作が行なわれる。
【００３３】
この場合、図５（Ａ）に示す如くイジェクト釦１５，１６を押し込むと、そのイジェクト釦１５，１６の押圧突片１５ａ，１６ａの先端傾斜縁部がホルダーロック部材１０，１１の被押圧部１０ｃ，１１ｃの傾斜面を押圧し、これによって図５（Ｂ）の如くホルダーロック部材１０，１１は弾性腕部１０ｅと１０ｆ，１１ｅと１１ｆの力に抗して上方に移動して係合爪部１０ａ，１１ａがホルダー６，７の係合部６ａ，７ａから外れ、その結果ホルダー６，７のロックが解除される。
【００３４】
ここで本例の機構では、このホルダーロック部材１０，１１のロック解除動作と同時に蓋ロック部材１２のロック解除動作が行なわれる構造となっている。
即ち、図６に示す如くイジェクト釦の裏面側にはホルダーロック部材を押圧する押圧突片１５ａ，１６ａの内側に並行して押圧突片１５ｂ，１６ｂが形成されており、これに対応して蓋ロック部材１２の前面には傾斜面状の被押圧部１２ｇ，１２ｉが形成されている。そしてイジェクト釦１５，１６を押すと押圧突片１５ｂ，１６ｂが蓋ロック部材１２の被押圧部１２ｇ，１２ｉを押圧し、これによって蓋ロック部材１２は弾性腕部１２ｅと１２ｆの力に抗して上方に移動して係合爪部１２ａが係合片８ａの孔部８ｂから外れ、その結果表蓋８のロックが解除される如く動作する。
【００３５】
以上の構成で明らかな如く本例のイジェクト機構は、第１のイジェクト釦１５によって第１のホルダーロック部材１０と蓋ロック部材１２を同時に直接押圧操作し、また第２のイジェクト釦１６によって第２のホルダーロック部材１１と蓋ロック部材１２を同時に直接押圧操作する構造に特徴を有するものである。
【００３６】
即ち、第１のイジェクト釦１５を押した場合は、この第１のイジェクト釦１５の押圧突片１５ａ，１５ｂが第１のホルダーロック部材１０の被押圧部１０ｃと蓋ロック部材１２の被押圧部１２ｇを直接押圧し、これによって図４（Ａ）に示す如く第１のホルダーロック部材１０と蓋ロック部材１２が同時に上方に移動されて第１のホルダー６のロックと表蓋８のロックが同時に解除される。そしてこのように第１のホルダー６のロックと表蓋８のロックが同時に解除されることにより、第１のホルダー６と表蓋８が一体に開くようにイジェクト動作が行なわれる。
【００３７】
また第２のイジェクト釦１６を押した場合は、この第２のイジェクト釦１６の押圧突片１６ａ，１６ｂが第２のホルダーロック部材１１の被押圧部１１ｃと蓋ロック部材１２の被押圧部１２ｉを直接押圧し、これによって図４（Ｂ）に示す如く第２のホルダーロック部材１１と蓋ロック部材１２が同時に上方に移動されて第２のホルダー７のロックと表蓋８のロックが同時に解除される。そしてこのように第２のホルダー７のロックと表蓋８のロックが同時に解除されることにより、第２のホルダー７と表蓋８が一体に開くようにイジェクト動作が行なわれる。
【００３８】
このように本例のイジェクト機構は、第１のイジェクト釦１５によって第１のホルダーロック部材１０と蓋ロック部材１２を直接押圧して第１のホルダー６と表蓋８のロックを同時に解除し、また第２のイジェクト釦１６によって第２のホルダーロック部材１１と蓋ロック部材１２を直接押圧して第２のホルダー７と表蓋８のロックを同時に解除する構成としたことにより、夫々のイジェクト動作においてホルダー６，７と表蓋８の開くタイミングにずれが生じることはなく、スムーズなイジェクト動作が行なわれるものである。
【００３９】
尚、この機構においては、イジェクト釦１５，１６に突設される押圧突片１５ａと１５ｂ，１６ａと１６ｂの長さを変えることにより、ホルダー６，７と表蓋８の開くタイミングを任意に設定することができる。
【００４０】
またこの機構では、ホルダーロック部材１０，１１と蓋ロック部材１２に夫々をロック方向に付勢するための弾性腕部１０ｅと１０ｆ，１１ｅと１１ｆ，１２ｅと１２ｆを一体に成形した構造により、コストダウン及び生産性の向上を図ることができる。即ち、この機構において従来はホルダーロック部材１０，１１と蓋ロック部材１２を夫々ロック方向に付勢するために３本のスプリングを必要としていたが、本例の機構ではホルダーロック部材１０，１１と蓋ロック部材１２に夫々弾性腕部１０ｅと１０ｆ，１１ｅと１１ｆ，１２ｅと１２ｆを一体に成形してスプリングに置き換えた構造としたので、スプリングが不要となった分だけ部品点数を削減でき、またスプリングを装着する作業が不要となるため組立工数も削減され、その結果コストダウンが可能となると共に、生産性の向上にも繋がる。
【００４１】
次に、図７及び図８を参照して本例のカセットデッキの内部構造について説明する。この図７及び図８は、図１に示すカセットデッキ１において筐体２の上カバー２ａを取り外した状態を示すものである。
【００４２】
このカセットデッキ１の内部において先ず前面パネル３の裏側には、第１及び第２のカセット装着部４，５に装着されるテープカセットを駆動する駆動機構部２１が設けられている。この駆動機構部２１は、駆動源であるモーター２２及びこのモーター２２の駆動力によってテープを走行させる機構部品をユニット化した駆動機構ユニット２３が前面パネル３の裏面側に取り付けられて構成される。
【００４３】
さらにこのカセットデッキ１の内部には、駆動機構部２１の奥に電気系統部２４が配置されている。この電気系統部２４は、電源トランス２５、電気回路基板２６、アンプ（ＩＣ）２７などの電気系統部品によって構成され、これらの各部品が筐体２のベースシャーシ２ｂ上の所定箇所に配置固定されてなるものである。尚、ここでアンプ２７は放熱用のヒートシンク２８上に固定されている。
【００４４】
この電気系統部２４においては、電源トランス２５やアンプ２７から熱が発生するので、これを冷却するための手段として本例のカセットデッキ１では背面側にファン２９が設置されている。このファン２９は筐体２の背面板２ｃの内面側に取り付けられており、このファン２９が回転駆動することで背面板２ｃの排気口３０からカセットデッキ内部の熱気が外部に放出され、これによって電気系統部２４が冷却される。
【００４５】
そして特に本例のカセットデッキ１においては、その内部の駆動機構部２１と電気系統部２４との間に隔壁３１が設けられており、この隔壁３１によって前方の駆動機構部２１とその後方の電気系統部２４とが仕切られた構造となっている。
【００４６】
この隔壁３１は樹脂材によりなる１枚の大きな板体であり、これが筐体２のベースシャーシ２ｂに垂直に立設されている。そしてベースシャーシ２ｂに上カバー２ａを被せた状態では、この隔壁３１の外周部が上カバーの内面側にほぼ隙間なく接し、これによって駆動機構部２１と電気系統部２４とが密閉状態で完全に仕切られた構造となる。尚、この隔壁３１の後面側に凸出している部分３１ａは、駆動機構部２１のモーター２２に対する逃げ部である。
【００４７】
このように本例のカセットデッキ１では、その内部に隔壁３１を設けて前方の駆動機構部２１と後方の電気系統部２４とを仕切った構造としたことにより、ファン２９の駆動によるカセットデッキ内部での空気の流れが駆動機構部２１に及ぶことはない。従ってファン２９の影響による駆動機構部２１への埃の侵入が抑えられるので、駆動機構部２１における埃の堆積が低減し、その結果駆動機構ユニット２３の寿命が長くなる効果がある。
【００４８】
この効果をさらに確実なものとするために本例のカセットデッキ１では、内部に空気を取り込むための通気孔３２を隔壁３１より後方の電気系統部２４側に設けてある。この通気孔３２は電源トランス２５やアンプ２７などの熱源の近辺においてベースシャーシ２ｂに形成されており、この通気孔３２から冷たい空気を取り入れてファン２９から放出するようにカセットデッキ内部での空気の流れを作ることによって効率的に電気系統部２４を冷却することができる。そしてこの通気孔３２が電気系統部２４側に設けられていることにより、カセットデッキ内部での空気の流れは完全に電気系統部２４内に限定されるので、ファン２９の影響による駆動機構部２１への埃の侵入が一段と確実に抑えられ、さらなる長寿命化が可能となるものである。
【００４９】
またこのカセットデッキ１では、２つのカセット装着部４，５に対し表蓋８を共通の１枚蓋としたことにより、カセットデッキ１の前面側からの埃の侵入が最小限に抑えられる。即ち一般のダブルカセットデッキでは、２つのカセット装着部に対し夫々１枚ずつ独立した２枚の表蓋が設けられており、この場合は表蓋と前面パネルとの間の隙間が２枚分あるためその隙間から駆動機構部に埃が入り易いが、本例のカセットデッキ１では表蓋８を共通の１枚としたことにより前面パネル３との間の隙間が少なくなるので、その隙間から駆動機構部２１に侵入する埃を最小限に抑えることができる。
【００５０】
さらにこのカセットデッキ１においては、図９に示す如く、隔壁３１が電気回路基板３３を支える取付板を兼用する構造を有している。即ちここでは、隔壁３１の上端に設けられた支持部３１ｂと背面板２ｃの上端部内面側に固定されたコネクター部材３４との間に架け渡されるように電気回路基板３３が取り付けられている。この場合、電気回路基板３３は隔壁３１に対しては螺子によって固定され、コネクター部材３４に対しては端子に半田付けによって固定される。
【００５１】
このように隔壁３１によって電気回路基板３３を支える構造としたことにより、従来必要とされていた電気回路基板を支えるための取付板が不要となる。これにより、隔壁３１を設けたことによるコストが相殺され、コスト的に従来と殆ど変わることなくカセットデッキの長寿命化を図ることができるものである。
【００５２】
以上、本発明の実施例としてカセットデッキを例示して説明したが、本発明はカセットデッキに限ることなく各種の記録再生装置等におけるイジェクト機構に幅広く適用することができる。
【００５３】
【発明の効果】
以上の実施例の説明で明らかなように本発明の請求項１に係る発明では、第１のイジェクト釦を押すとこの第１のイジェクト釦によって第１のホルダーロック部材と蓋ロック部材が直接押圧されて第１のホルダーと表蓋のロックが同時に解除され、また第２のイジェクト釦を押すとこの第２のイジェクト釦によって第２のホルダーロック部材と蓋ロック部材が直接押圧されて第２のホルダーと表蓋のロックが同時に解除されるので、夫々のイジェクト動作においてホルダーと表蓋の開くタイミングにずれが生じることはなく、スムーズなイジェクト動作が行なわれる効果がある。
【００５４】
さらに本発明の請求項２に係る発明では、ホルダーロック部材と蓋ロック部材に夫々をロック方向に付勢するための弾性部を一体に成形した構造により、従来用いられていたスプリングを廃止できるので、部品点数及び組立工数が削減され、その結果コストダウン及び生産性の向上を図ることができる効果がある。
【図面の簡単な説明】
【図１】記録再生装置の一例を示すカセットデッキ（ダブルカセットデッキ）の斜視図である。
【図２】同、前面部の斜視図で、第１のホルダーと表蓋が開いた状態である。
【図３】本発明によるイジェクト機構の構成を示す正面図である。
【図４】同、動作を説明する正面図で、（Ａ）は第１のホルダーのロックと表蓋のロックが解除された状態、（Ｂ）は第２のホルダーのロックと表蓋のロックが解除された状態である。
【図５】同、動作を説明する側面図で、（Ａ）はホルダーがロックされた状態、（Ｂ）はロックが解除された状態である。
【図６】同、構成部品の斜視図である。
【図７】カセットデッキの内部構造を示す斜視図である。
【図８】同、後方から見た斜視図である。
【図９】同、上部基板が取り付けられた状態である。
【図１０】従来のイジェクト機構の構成を示す正面図である。
【図１１】同、動作を説明する正面図で、（Ａ）は第１のホルダーのロックと表蓋のロックが解除された状態、（Ｂ）は第２のホルダーのロックと表蓋のロックが解除された状態である。
【図１２】同、動作を説明する側面図で、（Ａ）はホルダーがロックされた状態、（Ｂ）はロックが解除された状態である。
【符号の説明】
１・・・・カセットデッキ（記録再生装置）、６・・・・第１のホルダー、７・・・・第２のホルダー、８・・・・表蓋、１０・・・・第１のホルダーロック部材、１０ｅ，１０ｆ・・・・弾性腕部、１１・・・・第２のホルダーロック部材、１１ｅ，１１ｆ・・・・弾性腕部、１２・・・・蓋ロック部材、１２ｅ，１２ｆ・・・・弾性腕部、１５・・・・第１のイジェクト釦、１５ａ，１５ｂ・・・・押圧突片、１６・・・・第２のイジェクト釦、１６ａ，１６ｂ・・・・押圧突片
【図１】
2004318954.tif 000003
【図２】
2004318954.tif 000004
【図３】
2004318954.tif 000005
【図４】
2004318954.tif 000006
【図５】
2004318954.tif 000007
【図６】
2004318954.tif 000008
【図７】
2004318954.tif 000009
【図８】
2004318954.tif 000010
【図９】
2004318954.tif 000011
【図１０】
2004318954.tif 000012
【図１１】
2004318954.tif 000013
【図１２】
2004318954.tif 000014